(57)【要約】  本発明は回転式コンパクト容器に関し、本発明による回転式コンパクト容器によれば、上部ケースと下部ケースがヒンジによって相互ヒンジ結合されて、前記上部ケースの回動によって前記下部ケースの上部が開閉されるコンパクト容器において、両側面には回転突起が突出して形成されて、前記下部ケースの内部に設置され、前記回転突起を中心に上部へ回動されるコンパクト固定具と；前記コンパクト固定具の一側に設置されて最大３６０゜回転し、上部と下部には複数のコンパクト貯蔵溝が区画されて、内容物が貯蔵されるコンパクト貯蔵ケースと；を含むことを特徴とする。前記のような本発明による回転式コンパクト容器によれば、コンパクト内容物が貯蔵される貯蔵ケースが、上部と下部に内容物が貯蔵されて、回転可能であるので、コンパクトの使用が簡便であるという長所がある。【選択図】図１
2012520117.tif 000002
【特許請求の範囲】
【請求項１】
上部ケース（１０）と下部ケース（２０）とがヒンジによって相互ヒンジ結合されて、前記上部ケース（１０）の回動によって前記下部ケース（２０）の上部が開閉されるコンパクト容器において、
両側面には回転突起（１１０）が突出して形成されて、前記下部ケース（２０）の内部に設置され、前記回転突起（１１０）を中心に上部へ回動されるコンパクト固定具（１００）と；
前記コンパクト固定具（１００）の一側に設置されて最大３６０゜回転し、上部と下部には複数のコンパクト貯蔵溝（２１０）が区画されて内容物が貯蔵されるコンパクト貯蔵ケース（２００）と；を含むことを特徴とする回転式コンパクト容器。
【請求項２】
前記コンパクト貯蔵ケース（２００）は、
ブラシが保管されるブラシ貯蔵溝（２１１）が形成され、前記ブラシ貯蔵溝（２１１）の内部にはブラシ固定部（２１２）が突出して形成されてブラシを固定させることを特徴とする請求項１に記載の回転式コンパクト容器。
【請求項３】
前記上部ケース（１０）は、
内部に形成されて、鏡（Ｍ）が設置される鏡設置溝（１２０）をさらに含むことを特徴とする請求項１に記載の回転式コンパクト容器。
【発明の詳細な説明】
【技術分野】
【０００１】
本発明は回転式コンパクト容器に関し、さらに詳しくは、コンパクト内容物が貯蔵される貯蔵ケースが、上部と下部に内容物が貯蔵されて、且つ回転可能であるので、コンパクトの使用が簡便な回転式コンパクト容器に関する。
【背景技術】
【０００２】
コンパクトは基礎化粧をした後、カラーメイクアップをする前に肌を柔らかく優雅に表現するために塗る化粧品である。一般的に、コンパクトのような化粧品容器は、コンパクト容器の内部にパフケースが内装されており、上部蓋の内側に鏡を付着して製造される。また、使用者が前記コンパクト容器を使う時には、蓋を開放した後コンパクトが収納されているケースを持ち上げて、パフケースに保管されているパフを取り出した後、中皿を再び容器本体に装着させた状態でパフにコンパクトをつけて化粧をする。
【０００３】
しかし、従来のコンパクト容器は使用者がパフをコンパクトが収納されている皿の下部に保管するため、パフを使うために皿を持ち上げなければならないという不便があった。
【発明の概要】
【発明が解決しようとする課題】
【０００４】
本発明は上述した問題点を解決するために創出されたもので、コンパクト内容物が貯蔵される貯蔵ケースが、上部と下部に内容物が貯蔵されて、且つ回転可能であるので、コンパクトの使用が簡便な回転式コンパクト容器を提供する。
【課題を解決するための手段】
【０００５】
前記のような問題点を解決するために、本発明による回転式コンパクト容器は、上部ケースと下部ケースがヒンジのよって相互ヒンジ結合されて、前記上部ケースの回動によって前記下部ケースの上部が開閉されるコンパクト容器において、両側面には回転突起が突出して形成されて、前記下部ケースの内部に設置され、前記回転突起を中心に上部へ回動されるコンパクト固定具と；前記コンパクト固定具の一側に設置されて３６０゜回転し、上部と下部には複数のコンパクト貯蔵溝が区画されて内容物が貯蔵されるコンパクト貯蔵ケースと；を含むことを特徴とする。
【０００６】
また、前記コンパクト貯蔵ケースは、ブラシが保管されるブラシ貯蔵溝が形成され、前記ブラシ貯蔵溝の内部にはブラシ固定部が突出して形成されて、ブラシを固定させることを特徴とする。
【０００７】
また、前記上部ケースは、内部に形成されて鏡が設置される鏡設置溝をさらに含むことを特徴とする。
【発明の効果】
【０００８】
上述したように、本発明によれば、コンパクト内容物が貯蔵される貯蔵ケースが、上部と下部に内容物が貯蔵されて、且つ回転可能であるので、コンパクトの使用が簡便であるという長所がある。
【図面の簡単な説明】
【０００９】
【図１】本発明の好ましい実施形態による回転式コンパクト容器の斜視図である。
【図２】本発明の好ましい実施形態による回転式コンパクト容器の平面図である。
【図３】本発明の好ましい実施形態による回転式コンパクト容器の使用状態図である。
【図４】本発明のまた他の実施形態による回転式コンパクト容器の斜視図である。
【発明を実施するための形態】
【００１０】
以下、図面を参照して本発明を詳しく説明する。各図面に提示された同じ符号は同じ部材を示す。
【００１１】
図１は本発明の好ましい実施形態による回転式コンパクト容器の斜視図が示されており、図２は本発明の好ましい実施形態による回転式コンパクト容器の平面図が示されている。
【００１２】
図１及び図２によれば、本発明の好ましい実施形態による回転式コンパクト容器は、コンパクト固定具１００とコンパクト貯蔵ケース２００が含まれ、ブラシ貯蔵溝２１１及びブラシ固定部２１２がさらに含まれることができる。
【００１３】
上部ケース１０と下部ケース２０はヒンジによってヒンジ結合され、前記上部ケース１０の回動によって前記下部ケース２０の上部を開放または閉鎖させる。使用者は前記上部ケース１０を開放してコンパクトを使うことができ、前記下部ケース１０の内部には後述するコンパクト固定具１００及びコンパクト貯蔵ケース２００が設置されて、コンパクトを貯蔵する。
【００１４】
コンパクト固定具１００は、前記下部ケース２０の内部に設置されて上部へ回動する。前記コンパクト固定具１００は、両側面に回転突起１１０が突出して形成され、前記回転突起１１０は前記下部ケース２０の内部側面にそれぞれ設置される。従って、前記コンパクト固定具１００は前記下部ケース２０の内部に固定されて、後述するコンパクト貯蔵ケース２００と同時に上部へ回動されることが特徴である。
【００１５】
コンパクト貯蔵ケース２００は、前記コンパクト固定具１００の一側に設置され、上部と下部には複数のコンパクト貯蔵溝２１０が形成されてコンパクトが貯蔵される。前記コンパクト貯蔵溝２１０の上部と下部の内部にはコンパクトだけではなく、多様な化粧品を貯蔵することもでき、使用者の便宜によって、内部の区画区間を多様に設定して製造されることができる。また、図３によれば、前記コンパクト貯蔵ケース２００は前記コンパクト固定具１００と同時に上部へ回動された後、３６０゜回転する。従って、使用者は前記コンパクト貯蔵ケース２００を回転させることができるので、前記コンパクト貯蔵ケース２００の上部と下部に貯蔵されるコンパクトを全て使うことができることが本発明の最大の特徴であると言える。
【００１６】
以下では、図４を参照して本発明のまた他の実施形態による回転式コンパクト容器を詳しく説明する。
【００１７】
まず、前記コンパクト貯蔵ケース２００にはブラシ貯蔵溝２１１を形成して、ブラシを貯蔵することができる。この時、前記ブラシ貯蔵溝２１１にはブラシ固定部２１２を形成し、前記ブラシ固定部２１２は前記ブラシ貯蔵溝２１１の内部に突出して形成される。従って、使用者が前記コンパクト貯蔵ケース２００を回転させても、ブラシが前記ブラシ貯蔵溝２１１から離脱されないようにすることが特徴である。
【００１８】
また、前記上部ケース１０の内部には鏡Ｍが設置される鏡設置溝１２０が形成されて、使用者の化粧を補助することができる。前記鏡設置溝１２０は鏡Ｍの面積と同様に溝を形成することによって、前記上部ケース１０の内部に鏡Ｍの枠部が嵌合されることが好ましい。
【００１９】
図面と明細書に最適な実施形態が開示された。ここで、特定の用語が用いられているが、これはただ本発明を説明するための目的で用いられたものであり、意味の限定や特許請求の範囲に記載された本発明の範囲を制限するために用いたのではない。そこで、当該技術分野における通常の知識を有する者であれば、これから多様な変形及び均等な他の実施形態が可能であるという点を理解すべきである。従って、本発明の真の技術保護範囲は添付された特許請求の範囲の技術思想によって決めるべきである。
【図１】
2012520117.tif 000003
【図２】
2012520117.tif 000004
【図３】
2012520117.tif 000005
【図４】
2012520117.tif 000006
【国際調査報告】
2012520117.tif 000007
2012520117.tif 000008
2012520117.tif 000009
2012520117.tif 000010